(57)【要約】【課題】遊技盤を安全且つ良好な作業性のもとで本体枠に装着することのできる遊技機を提供する。【解決手段】本体枠に対して前面側から取り付けられ、遊技球が転動流下する遊技領域を有する遊技盤１０と、本体枠の背面側に取り付けられ、遊技盤１０に設けられた電気部品を駆動制御する制御回路を備えた制御基板と、本体枠に形成され、制御基板から延出されたハーネスが前面側に取り出し可能な配線取出孔と、制御基板からのハーネスと遊技盤１０に設けられた電気部品からの配線とを接続する中継基板７０，８０とを備え、中継基板７０，８０は、制御基板からのハーネスの先端に設けられたコネクタと接続されるコネクタ受け部７１，８１を有している。そして、コネクタ受け部７１，８１は遊技盤１０の前方に向けて配置されている。【選択図】図９
2007260383.tif 000002
【特許請求の範囲】
【請求項１】
本体枠に対して前面側から取り付けられ、遊技球が転動流下する遊技領域を有する遊技盤と、
前記本体枠の背面側に取り付けられ、前記遊技盤に設けられた電気部品を駆動制御する制御回路を備えた制御基板と、
前記本体枠に形成され、前記制御基板から延出された配線が前面側に取り出し可能な配線取出孔と、
前記制御基板からの配線と前記遊技盤に設けられた前記電気部品からの配線とを接続する中継基板と、を備え、
前記中継基板は、前記制御基板からの配線の先端に設けられたコネクタと接続されるコネクタ受け部を有し、当該コネクタ受け部が前記遊技盤の前方に向けて配置される、
ことを特徴とする遊技機。
【請求項２】
前記遊技盤には開口部が形成され、
前記中継基板は、前記コネクタ受け部が前記開口部に臨むようにして前記遊技盤の背面に取り付けられている、
ことを特徴とする請求項１記載の遊技機。
【請求項３】
前記遊技盤の背面には、前記遊技領域に形成された入賞口に受け入れられた遊技球を前記本体枠の所定位置へ誘導する入賞球通路が設けられた入賞球通路カバー体が取り付けられ、
前記中継基板は、入賞球通路カバー体を介して前記遊技盤に取り付けられている、
ことを特徴とする請求項１または２記載の遊技機。
【請求項４】
前記遊技盤には開口部が形成され、
前記中継基板は、前記開口部内に臨むようにして前記コネクタ受け部の実装面が前記遊技盤の盤面に対して垂直となるように取り付けられている、
ことを特徴とする請求項１記載の遊技機。
【請求項５】
前記中継基板を保持固定する基板保持部と、前記遊技盤の所定位置に取り付けられる取付部材とを備え、
前記取付部材に前記基板保持部を取り付けるとともに、前記取付部材を前記遊技盤に取り付けたときに、前記基板保持部に保持固定された前記中継基板が前記開口部内に臨むようにして前記コネクタ受け部の実装面が前記遊技盤の盤面に対して垂直となるように配置される、
ことを特徴とする請求項４記載の遊技機。
【発明の詳細な説明】
【技術分野】
【０００１】
本発明は遊技機に関し、特に、本体枠の前面側から遊技盤が取り付けられた遊技機に関するものである。
【背景技術】
【０００２】
遊技機には、遊技球が転動流下する遊技領域を備えた遊技盤が取り付けられている。そして、例えば特許文献１には、遊技盤を本体枠の前面側から取り付けられた遊技機が記載されている。すなわち、特許文献１の記載の遊技機は、遊技盤を本体枠の前面側から取り付け、本体枠の背面側に取り付けられた制御基板からの配線を遊技盤の背面側に設けられたコネクタに接続するようにしたものである。
【特許文献１】特開２００５−２９６１９４号公報
【発明の開示】
【発明が解決しようとする課題】
【０００３】
しかしながら、特許文献１に記載の遊技機においては、制御基板からの配線を遊技盤へ接続した上で遊技盤を本体枠に装着することになるため、遊技盤が本体枠に未装着の不安定な状態で制御基板からの配線を遊技盤へ接続しなければならないため、遊技盤の取付作業性が非常に悪い。しかも、遊技盤の取付時に手元が狂って遊技盤を落下させてしまった場合には、遊技盤だけでなく遊技盤に接続された配線等も損傷してしまうおそれがあり、被害が拡大してしまう。
【０００４】
そこで、本発明は、遊技盤を安全且つ良好な作業性のもとで本体枠に装着することのできる遊技機を提供することを目的とする。
【課題を解決するための手段】
【０００５】
上記課題を解決するため、請求項１に記載の本発明の遊技機は、本体枠に対して前面側から取り付けられ、遊技球が転動流下する遊技領域を有する遊技盤と、前記本体枠の背面側に取り付けられ、前記遊技盤に設けられた電気部品を駆動制御する制御回路を備えた制御基板と、前記本体枠に形成され、前記制御基板から延出された配線が前面側に取り出し可能な配線取出孔と、前記制御基板からの配線と前記遊技盤に設けられた前記電気部品からの配線とを接続する中継基板とを備え、前記中継基板は、前記制御基板からの配線の先端に設けられたコネクタと接続されるコネクタ受け部を有し、当該コネクタ受け部が前記遊技盤の前方に向けて配置されることを特徴とする。
【０００６】
これにより、遊技盤を本体枠に取り付けることで安定化させた状態で、制御基板からの配線を接続することが可能になるので、遊技盤を本体枠へ接続する際の配線の煩わしさがなくなるのみならず、遊技盤が落下するおそれもない。よって、遊技盤を安全且つ良好な作業性のもとで本体枠に装着することが可能になる。
【０００７】
請求項２に記載の本発明は、請求項１に記載の発明の構成に加えて、前記遊技盤には開口部が形成され、前記中継基板は、前記コネクタ受け部が前記開口部に臨むようにして前記遊技盤の背面に取り付けられていることを特徴とすることを特徴とする。
【０００８】
このように、中継基板が遊技盤の背面に取り付けられているので、前面に取り付けた場合のようにガラス扉との干渉を防止するために遊技盤の取付位置を後退させる必要がなく、また遊技盤の見栄えの悪化もなくなる。
【０００９】
請求項３に記載の本発明は、請求項１または２記載の発明の構成に加えて、前記遊技盤の背面には、前記遊技領域に形成された入賞口に受け入れられた遊技球を前記本体枠の所定位置へ誘導する入賞球通路が設けられた入賞球通路カバー体が取り付けられ、前記中継基板は、入賞球通路カバー体を介して前記遊技盤に取り付けられていることを特徴とする。
【００１０】
このように、中継基板を入賞球通路カバー体とユニット化することにより、中継基板を直接遊技盤へ取り付ける構成よりも取付作業性が向上する。また、遊技盤のみの交換を行う場合も、入賞球通路カバー体を取り外すのみで簡便に行うことができる。
【００１１】
請求項４に記載の本発明は、請求項１記載の発明の構成に加えて、前記遊技盤には開口部が形成され、前記中継基板は、前記開口部内に臨むようにして前記コネクタ受け部の実装面が前記遊技盤の盤面に対して垂直となるように取り付けられていることを特徴とする。
【００１２】
このように、中継基板が開口部内に臨むようにして遊技盤の盤面に対して垂直方向に取り付けられているので、片面のみが実装面となっている片面実装形の中継基板を用いた場合にあっては、遊技盤面の背面側より延出された配線をコネクタ受け部と共通の実装面に実装されたコネクタに接続する際、当該配線を遊技盤の前面側にまで引き回ことなく背面側で行えるので、配線接続の作業性が向上する。
【００１３】
請求項５に記載の本発明は、請求項４記載の発明の構成に加えて、前記中継基板を保持固定する基板保持部と、前記遊技盤の所定位置に取り付けられる取付部材とを備え、前記取付部材に前記基板保持部を取り付けるとともに、前記取付部材を前記遊技盤に取り付けたときに、前記基板保持部に保持固定された前記中継基板が前記開口部内に臨むようにして前記コネクタ受け部の実装面が前記遊技盤の盤面に対して垂直となるように配置されることを特徴とする。
【００１４】
これにより、中継基板を保持固定した基板保持部を取付部材を介して遊技盤に取り付けることにより簡単に中継基板を遊技盤に配置することができるので、製造コストに優れた遊技盤が得られる。
【発明の効果】
【００１５】
本発明によれば以下の効果を奏することができる。
【００１６】
すなわち、本発明によれば、遊技盤を本体枠へ接続する際の配線の煩わしさがなくなるのみならず、遊技盤が落下するおそれもない。これにより、遊技盤を安全且つ良好な作業性のもとで本体枠に装着することが可能になる。
【発明を実施するための最良の形態】
【００１７】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００１８】
（実施の形態１）
【００１９】
図１は本発明の一実施の形態である遊技機を示す斜視図、図２は図１に示した遊技機の正面図、図３は図１の遊技機に取り付けられた遊技盤を示す正面図、図４は図３の遊技盤の背面図、図５は本発明の一実施の形態に係る遊技機の取付係合部、上下方向規制部および左右方向規制部を説明する図、図６は本発明の一実施の形態に係る遊技機の取付係合部の取付状態を説明する図、図７は本発明の一実施の形態に係る遊技機の取付係合部、上下方向規制部、左右方向規制部および段部を説明する図、図８は図１の遊技機の背面図、図９は本発明の一実施の形態に係る遊技機に取り付けられた遊技盤の要部を前面から見た図、図１０は本発明の一実施の形態に係る遊技機に取り付けられた遊技盤の要部を背面から見た図、図１１は本発明の一実施の形態に係る遊技機の遊技盤に取り付けられた主制御用中継基板および演出制御用中継基板を示す斜視図である。
【００２０】
図１および図２に示すように、パチンコ遊技機（遊技機）１は、遊技盤１０（図３および図４参照）が装着される本体枠２と、本体枠２内で遊技盤１０の背後に設けられる表示装置としての液晶表示装置（ＬＣＤ）２０（図５参照）と、この本体枠２に取り付けられるガラス扉３、上皿部４、下皿部５、カバー６およびハンドル７とを備えている。
【００２１】
ガラス扉３および上皿部４は一体化して形成されており、この一体化された開閉扉（開閉体）は、その一端が本体枠２に回動可能に軸支され、他端が本体枠２に係合するようになっている。ガラス扉３は、可動可能に設けられた遊技盤１０を視認可能に被うものである。
【００２２】
上皿部４はガラス扉３の下側に位置し、払い出された遊技球および遊技領域に打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００２３】
上皿部４の下側に位置する下皿部５は、本体枠２に固定されており、払い出しにより上皿４ａからオーバーフローした遊技球が貯留される下皿５ａを有している。
【００２４】
下皿部５の右側に設けられたハンドル７は、外レール１１ａおよび内レール１１ｂ（図３参照）を介して遊技盤１０の遊技領域へ遊技球を打ち込む際に回動操作されるものであり、遊技球の発射を停止させるストップボタン（図示せず）が設けられている。
【００２５】
ガラス扉３の上側に位置するカバー６は本体枠２に固定されており、カバー６の左右の部位６ａ，６ｂは、本体枠２に設けられる左右のスピーカ（図示せず）にそれぞれ対応して、スピーカからの音声が聞こえるような構造になっている。
【００２６】
液晶表示装置（ＬＣＤ）２０は、演出画像（例えば、遊技状態に対応したアニメーションやその他の報知情報など。）等を表示可能な表示領域を備えている。
【００２７】
遊技盤１０は、図３に示すように、外レール１１ａおよび内レール１１ｂに包囲され、遊技球の流下が可能な遊技領域１０ａを有している。そして、その遊技領域１０ａには、多数の遊技くぎや風車などの障害物（図示せず）、一般入賞口１２、通過ゲート１３、可変入賞装置である大入賞口１５、アウト口１６、始動入賞口１４，１７を有する普通電動役物１８からなる遊技部材が配置されている。
【００２８】
遊技盤１０が透明である本実施の形態では、液晶表示装置２０の表示領域が遊技盤１０を通して視認可能に配置されている。また、液晶表示装置２０にかえて、例えばプラズマディスプレイ等の表示手段を用いることもできる。
【００２９】
遊技盤１０の中央上部には、特別図柄表示器２４、普通図柄表示器２５ａ，２５ｂ、４個の普通図柄始動記憶表示器２３、４個の特別図柄始動記憶表示器２２がそれぞれ配置されている。なお、特別図柄表示器２４は７セグメントＬＥＤより構成されており、一方、普通図柄表示器２５ａ，２５ｂ、普通図柄始動記憶表示器２３、特別図柄始動記憶表示器２２は、それぞれＬＥＤで構成されている。
【００３０】
遊技盤１０の右上方には、ラウンド数表示器２６が、遊技盤１０を通して視認可能に配置されている。
【００３１】
上記ラウンド数表示器２６は、２個の７セグメントＬＥＤにより構成されており、この２個の７セグメントＬＥＤにより２桁までの数字を表示することができるようになっている。例えば「０」「１」「２」…「１３」「１４」「１５」等の数字を表示することができる。そして、このような構成のラウンド数表示器２６には、大当り遊技状態中におけるラウンド動作回数（大入賞口１５の開閉回数）が表示されるようになっている。例えば、ラウンド動作が１５回行われる場合は、「１５」が表示される。
【００３２】
始動領域である普通電動役物１８は、遊技球の受け入れ口を有して遊技球が入賞し易い開状態と遊技球が入賞し難い閉状態とに変化可能になっており、当該受け入れ口に入球した遊技球は、普通電動役物１８の内部を通過するようになっている（以下、普通電動役物１８の内部を遊技球が通過することを「普通電動役物１８への入賞」という。）。
【００３３】
また、普通電動役物１８と同じく始動領域である始動入賞口１４も、遊技球の受け入れ口を有しており、当該受け入れ口に入球した遊技球は、始動入賞口１４の内部を通過するようになっている（以下、始動入賞口１４の内部を遊技球が通過することを「始動入賞口１４への入賞」という。）。
【００３４】
なお、上述の始動入賞口１４や普通電動役物１８に遊技球が入賞すると、それに基づき、特別図柄表示器２４における特別図柄（識別図柄）や、装飾図柄表示領域における装飾図柄（識別図柄）が変動および停止するようになっている。
【００３５】
また、アウト口１６は、一般入賞口１２、始動入賞口１４、普通電動役物１８、大入賞口１５の何れにも入賞しなかった遊技球が流入して回収される装置である。
【００３６】
通過ゲート１３は、通過する遊技球を検出するようになっている。この通過ゲート１３を通過した遊技球は保留記憶が可能となっており、この保留記憶情報に基づいて、普通図柄表示器２５ａ，２５ｂの点滅表示が行なわれる。また、上述した４個の普通図柄始動記憶表示器２３には、通過ゲート１３の保留記憶個数が表示されるようになっている。具体的には、この普通図柄始動記憶表示器２３の点灯個数により、通過ゲート１３を通過した遊技球の保留記憶個数が表示される。
【００３７】
普通図柄表示器２５ａ，２５ｂは、交互に点滅するようになっており、普通図柄表示器２５ａ，２５ｂの点滅が終了して「当り」が表示された場合（以下、「普通当り時」という。）に、普通電動役物１８が所定時間だけ逆八字状に開口して、遊技球を受け入れ易い開状態に切り換えられる。
【００３８】
始動入賞口１４や普通電動役物１８への入賞球は入賞記憶可能となっており、この入賞記憶に基づいて、特別図柄表示器２４における特別図柄や装飾図柄表示領域における装飾図柄の変動表示が所定時間にわたって行なわれる。また、上述した４個の特別図柄始動記憶表示器２２には、始動入賞口１４や普通電動役物１８への入賞記憶個数が表示されるようになっている。具体的には、この特別図柄始動記憶表示器２２の点灯個数により、始動入賞口１４や普通電動役物１８への入賞記憶個数が表示される。
【００３９】
また、７セグメントＬＥＤである特別図柄表示器２４に表示される特別図柄として、例えば「０」〜「９」のアラビア数字や「−」等の図柄があげられる。そして、これらの数字や図柄は、始動入賞口１４や普通電動役物１８への遊技球の入賞後に変動表示されるようになっている。なお、これらの数字や図柄の変動表示が終了し、その変動表示結果（すなわち、停止表示された数字や図柄。停止図柄ともいう。）が「０」〜「９」等の数字だった場合を大当り表示態様（大当り図柄）という。この大当り表示態様は、遊技状態が、通常遊技状態と比較して遊技者に有利な大当り遊技状態に移行すること（すなわち「大当り」となったこと）を遊技者に認識させるための表示態様である。なお、大当り表示態様以外の変動表示結果（例えば、停止図柄が「−」だった場合）を非大当り表示態様（はずれ図柄）という。
【００４０】
そして、大当り遊技状態に移行したことを遊技者に認識させるための上記大当り表示態様は、確率変動大当りを示す表示態様である確変表示態様（確変大当り図柄）と、通常大当りを示す表示態様である非確変表示態様（通常大当り図柄）とに分かれている。
【００４１】
また、確変表示態様は、「７」や「３」等の奇数の数字が停止図柄となった場合をいい、一方、非確変表示態様は、「２」や「６」等の偶数の数字が停止図柄となった場合をいう。
【００４２】
なお、特別図柄の変動表示結果が確変表示態様となると（すなわち、確率変動大当りとなると）、大当り遊技状態終了後、特別図柄表示器２４における特別図柄の変動表示結果が大当り表示態様となる確率の高い確率変動状態へ移行される。一方、特別図柄の表示態様が非確変表示態様となると（すなわち、通常大当りとなると）、大当り遊技状態終了後は通常遊技状態へ移行される。
【００４３】
また、装飾図柄表示領域に表示される装飾図柄として、例えば「０」、「１」、「２」・・・「９」等のアラビア数字やその他の図柄等があげられる。そして、これらの数字や図柄は、始動入賞口１４や普通電動役物１８への遊技球の入賞後に、特別図柄の変動表示とともに変動表示されるようになっている。なお、これらの数字や図柄の変動表示が終了し、その変動表示結果（すなわち、停止表示された数字や図柄の組み合わせ。停止装飾図柄ともいう。）が『「３」「３」「３」』、『「２」「２」「２」』等のように同一の数字や図柄が横一列に揃った場合を大当り装飾図柄という。この大当り装飾図柄は、遊技状態が、通常遊技状態と比較して遊技者に有利な大当り遊技状態に移行すること（すなわち「大当り」となったこと）を遊技者に認識させるための表示態様である。なお、大当り装飾図柄以外の変動表示結果をはずれ装飾図柄という。
【００４４】
なお、大当り遊技状態に移行したことを遊技者に認識させるための上記大当り装飾図柄は、確率変動大当りを示す表示態様である確変大当り装飾図柄と、通常大当りを示す表示態様である通常大当り装飾図柄とに分かれている。
【００４５】
また、確変大当り装飾図柄は、「７」や「３」等の所定の数字や図柄が、横一列に３個揃った場合をいい、一方、通常大当り装飾図柄は、確変大当り装飾図柄以外の数字や図柄が横一列に３個揃った場合をいう。
【００４６】
図４に示すように、遊技盤１０の背面には入賞球通路カバー体４０が取り付けられている。この入賞球通路カバー体４０には、遊技盤１０の左右に設けられた一般入賞口１２に入球した遊技球を下方に案内する第１の案内通路４０ａと、始動入賞口１４，１７に入球した遊技球を下方に案内する第２の案内通路４０ｂと、これらの通路４０ａ，４０ｂが合流するとともに大入賞口１５およびアウト口１６に入球した遊技球を下方に案内する共通通路４０ｃとが形成されている。そして、第１の案内通路４０ａ、第２の案内通路４０ｂおよび共通通路４０ｃを通過した遊技球は、共通通路４０ｃから本体枠２の所定位置に誘導されて回収される。
【００４７】
なお、第１の案内通路４０ａおよび第２の案内通路４０ｂの途中には通過球センサ４１ａおよび通過球センサ４１ｂが配置されており、これらの通過球センサ４１ａ，４１ｂの検出に応じた遊技球は払い出されるようになっている。
【００４８】
ここで、図３および図４に示すように四角形の遊技盤１０には、その４ヶ所の隅部に、本体枠２に設けられた４ヶ所の取付係合部と係合する取付部１１０，１２０、１３０，１４０が設けられている。
【００４９】
取付部１１０および取付部１２０には、遊技盤１０の左側方（遊技盤１０を表面から見て左側）に突出したピン部１１１およびピン部１２１が、一方、取付部１３０および取付部１４０には、遊技盤１０の右側方（遊技盤１０を表面から見て右側）に突出したピン部１３１およびピン部１４１が、それぞれ設けられている。
【００５０】
図５に示すように、本体枠２には、遊技盤１０を固定するための予め決められた４ヶ所の部位に、遊技盤１０の取付部１１０，１２０、１３０，１４０のそれぞれと係合する取付係合部２１０，２２０，２３０，２４０が設けられている。なお、図５は、上記一体化された開閉扉（ガラス扉３および上皿部４）を開放（全開放）し、本体枠２に対し液晶表示装置２０を取り付けるとともに遊技盤１０を取り外した状態を示している。
【００５１】
取付係合部２１０は、図６に示すように、ベース部３００および可動規制部４００を有している。ベース部３００は、本体枠２の前方向から取付部１１０のピン部１１１を受け入れて、当該ピン部１１１を所定の位置において前方向への動き（つまり遊技盤１０の前方向への動き）を規制する機能を有している。可動規制部は、遊技盤１０の上方向および前方向の動きを規制する機能を有している。
【００５２】
取付係合部２２０は、図７に示すように、本体枠２の前方向から取付部１２０のピン部１２１を受け入れて、当該ピン部１２１を所定の位置において前方向への動き（つまり遊技盤１０の前方向への動き）を規制する機能を果たすベース部３００を有している。この取付係合部２２０は、取付係合部２１０のベース部３００と同一である。
【００５３】
取付係合部２３０は、取付係合部２１０の構成（構造）と同様に、ベース部および可動規制部を有している。ベース部は、本体枠２の前方向から取付部１３０のピン部１３１を受け入れて、当該ピン部１３１を所定の位置において前方向への動き（つまり遊技盤１０の前方向への動き）を規制する機能を有している。可動規制部は、遊技盤１０の上方向および前方向の動きを規制する機能を有している。
【００５４】
取付係合部２４０は、取付係合部２２０の構成（構造）と同様に、本体枠２の前方向から取付部１４０のピン部１４１を受け入れて、当該ピン部１４１を所定の位置において前方向への動き（つまり遊技盤１０の前方向への動き）を規制する機能を果たすベース部を有している。
【００５５】
なお、遊技盤１０の下側に設けられる取付部１２０，１４０と係合する取付係合部２２０，２４０には、取付係合部２１０，２３０に設けられている可動規制部は設けられていない。
【００５６】
再度、図５を参照して説明する。本体枠２は、取付係合部２１０および取付係合部２３０は、それぞれ遊技盤１０の上方向の動きを規制する上方向規制部（図示せず）を有している。
【００５７】
本体枠２には、取付係合部２２０の固定位置と取付係合部２４０の固定位置との間であって、当該２つの固定位置間を結ぶ線分よりも下方の所定の位置に、遊技盤１０の下方向の動きを規制する下方向規制部５１３，５１４と、がそれぞれ設けられている。
【００５８】
この実施の形態では、取付係合部２１０および取付係合部２３０の各上方向規制部と、下方向規制部５１３，５１４とで、遊技盤１０の上下方向の動きを規制する上下方向規制部の機能を果たすようになっている。
【００５９】
また、本体枠２には、取付係合部２１０の固定位置と取付係合部２２０の固定位置との間の所定位置に、遊技盤１０の左右方向の動きを規制する左右方向規制部５１５と、取付係合部２３０の固定位置と取付係合部２４０の固定位置との間の所定位置に、遊技盤１０の左右方向の動きを規制する左右方向規制部５１６と、がそれぞれ設けられている。
【００６０】
下方向規制部５１３は、図７に示すように、コ字型の形状を有しており、このコ字型形状の平坦な部位の両側から突出している部位（凸部）５１３ａの先端面が、遊技盤１０の下端面と接するようになっている。しかも、下方向規制部５１３は、当該遊技盤１０の下方向の動きを規制すべく本体枠２の所定の位置に固着されている。下方向規制部５１４も、下方向規制部５１３と同様の構造および本体枠２の所定の位置に固着されている。
【００６１】
左右方向規制部５１５は、図７に示すように、遊技盤１０の左側端面（遊技盤１０を表面から見て左）と接する部位、遊技盤１０の裏面と接する部位とが形成された切り欠き部５１５ａを有している。左右方向規制部５１６は、図示していないが、遊技盤１０の右側端面（遊技盤１０を表面から見て右）と接する部位、遊技盤１０の裏面と接する部位とが形成された切り欠き部を有している。
【００６２】
ところで、上述した上下方向規制部（取付係合部２１０，２３０および下方向規制部５１３，５１４）、および左右方向規制部５１５，５１６は、遊技盤１０に取り付けられた各取付部１１０〜１４０のピン部１１１，１２１，１３１，１４１が、各取付係合部２１０，２２０，２３０，２４０の後述する前方向規制部により前方向への動きを規制された状態において、遊技盤１０の上下方向あるいは左右方向の動きを規制するようになっている。
【００６３】
なお、液晶表示装置２０は、図５〜図７に示すように、その上側は取付係合部２１０，２３０によって支持され、一方、その下側は本体枠２に形成された下端支持段部（の上面５１７ａ），５１８によって支持されている。
【００６４】
取付係合部２１０は、上述したようにベース部３００および可動規制部４００を備えている。
【００６５】
ベース部３００は、本体枠２の前方向から取付部１１０のピン部１１１を受け入れ、該ピン部１１１を下方向の支持位置（凹部）３１１へ案内する案内溝３１０と、支持位置（凹部）３１１においてピン部１１１の前方向への動きを規制する前方向規制部３２０と、可動規制部４００を摺動可能に支持する軸部（図示せず）とを有している。
【００６６】
可動規制部４００は、上述した上方向規制部の機能を果たすものである。この上方向規制部つまり可動規制部４００は、遊技盤１０の動きを許容する移動許容位置と、遊技盤１０の上方向の動きを規制する移動規制位置との間で移動可能になっている。
【００６７】
そして、取付係合部２３０は取付係合部２１０と同様の構成になっている。また、取付係合部２２０および取付係合部２４０は取付係合部２１０のベース部３００と同様の構造になっている。
【００６８】
次に、本体枠２の背面側の構造について、図８を用いて説明する。
【００６９】
図８に示すように、本体枠２の背面には、遊技機１の動作を実現するためのさまざまな電子部品や電子部品等を実装した基板等が搭載されている。
【００７０】
例えば、本体枠２の背面中央には、主制御基板（制御基板）を保持する主制御基板ケース１００が、本体枠２の背面の中央よりやや下左側には電源基板（図示せず）を保持する電源基板ケース１５０が、そして、本体枠２の背面の中央よりやや下右側には、払出制御基板（制御基板）を保持する払出基板ケース（図示せず）がそれぞれ搭載されている。
【００７１】
本体枠２の背面の中央よりやや上左側、すなわち主制御基板ケース１００の上方には、演出制御基板ケース（図示せず）が搭載されている。演出制御基板ケースには、主制御基板における主制御回路から受ける制御信号に基づいて所定の制御を実行する演出制御回路が搭載された演出制御基板（図示せず）が格納されている。
【００７２】
ここで、主制御基板は、パチンコ機１の遊技の進行を制御する主制御回路（制御回路）が搭載された基板であり、遊技盤１０に設けられた電気部品のうち、例えば特別図柄始動記憶表示器２２、普通図柄始動記憶表示器２３、特別図柄表示器２４、普通図柄表示器２５ａ，２５ｂ、ラウンド数表示器２６、大入賞口１５の開閉を行う大入賞口ソレノイド、始動入賞口１４，１７の開閉を行う始動口ソレノイド等は主制御回路によって駆動されている。電源基板は、各電子部品が動作するために必要な電圧の電源を生成する基板である。また、払出制御基板は、賞球や貸球等を払い出す払出装置（図示せず）を駆動制御する基板である。そして、演出制御基板は、液晶表示装置２０の画像表示制御や、遊技機１の各所に配置されているランプ・ＬＥＤ（電気部品）等の発光表示制御、スピーカ６ａ，６ｂからの音出力制御を行う制御回路が搭載された基板である。
【００７３】
なお、本体枠２の背面の上部には遊技球が貯留される貯留タンク４５０が配置されている。貯留タンク４５０の下方には、貯留タンク４５０に貯留された遊技球を払出装置７００に案内する整流樋６００が設けられている。整流樋６００の底面には、遊技球を整列して流下させるガイドレール（図示せず）が形成されており、これにより、貯留タンク４５０からの遊技球は整流されて払出装置７００へと案内される。さらに、本体枠２の背面の各所には、電子部品を搭載した基板間を電気的に接続する配線（図示せず）が施設されている。
【００７４】
図示するように、本体枠２の背面には、演出制御基板ケース、主制御基板ケース１００、電源基板ケース１５０、払出制御基板ケース等の基板ケースを覆う基板ケースカバー５００が、回動可能に軸支されて設けられている。
【００７５】
すなわち、本体枠２の図面左側には、基板ケースカバー５００を回動可能に軸支する軸部３０ａ，３０ｂが上下方向に設けられており、基板ケースカバー５００の一端に形成された軸受け部５０１ａ，５０１ｂが軸部３０ａ，３０ｂに軸支されることにより、基板ケースカバー５００は本体枠２の背面側に開閉可能に取り付けられる。
【００７６】
そして、上記軸側に対向する端部、すなわち開閉端側には、基板ケースカバー５００の回動を防止する固定部５０２が形成されている。
【００７７】
但し、これら基板ケースなどの搭載位置は一例に過ぎず、また、本発明の遊技機に搭載される電子部品や基板、基板ケースなどは列挙されたものに限定されない。
【００７８】
ここで、図５に示すように、このような様々な制御基板が背面に搭載された本体枠２を正面から見て左やや下（背面から見ると、図８に示すように、右やや下）には、前述した制御基板から延出されたハーネス（配線）９０，９１（図１１）を前面側に取り出すための配線取出孔５０が、液晶表示装置２０の取付位置と干渉せず、且つ取り付けられた遊技盤１０により隠蔽される位置に形成されている。
【００７９】
また、図３に示すように、遊技盤１０には、この遊技盤１０を正面から見て左下に開口部６０ａが、この開口部６０ａに近接して僅かに斜め右下に開口部６０ｂが形成されている。そして、図９および図１０に詳しく示すように、開口部６０ａを塞ぐようにして、主制御基板からのハーネス９０と遊技盤１０に設けられて主制御回路によって駆動される前述した電気部品（以下、「第１の電気部品」という。）からのハーネス（図示せず）とを接続する主制御用中継基板（中継基板）７０が取り付けられている。また、開口部６０ｂを塞ぐようにして、演出制御基板からのハーネス９１と遊技盤１０に設けられて演出制御回路によって駆動される前述した電気部品（以下、「第２の電気部品」という。）からのハーネス（図示せず）とを接続する演出制御用中継基板（中継基板）８０が取り付けられている。
【００８０】
図１１に示すように、主制御用中継基板７０は第１の中継基板７０ａおよび第２の中継基板７０ｂからなる。そして、第１の中継基板７０ａの一方面に、主制御基板からのハーネス９０の先端に設けられたコネクタ９０ａが接続されるコネクタ受け部７１、およびコネクタ受け部７１に挿入された複数の端子とそれぞれ電気的に接続された複数の端子を有するコネクタ７３が搭載されている。また、第２の中継基板７０ｂの一方面に、コネクタ７３と電気的に接続されたコネクタ７４が搭載されている。
【００８１】
なお、第２の中継基板７０ｂには、第１の電気部品からのハーネスと電気的に接続される図示しない複数のコネクタが設けられている。
【００８２】
図示するように、第１の中継基板７０ａの他方面と第２の中継基板７０ｂの他方面とが相互に対向するように配置されており、コネクタ７３とコネクタ７４とは、何れも図１１において左側方へ向けて実装されて、図示しないハーネスを介して相互に接続されている。
【００８３】
したがって、主制御基板と第１の電気部品とは、ハーネス９０、コネクタ受け部７１、コネクタ７３およびコネクタ７４を介して相互に電気的に接続される。
【００８４】
そして、このように主制御用中継基板７０では、片面のみに部品を実装することにより、不正な電子部品を主制御用中継基板７０に搭載して遊技球を大量に払い出させるようにする、いわゆるぶら下げ等の不正があっても、容易に発見できるようになっている。
【００８５】
演出制御用中継基板８０には、一方面に、演出制御基板からのハーネス９１の先端に設けられたコネクタ９１ａが接続されるコネクタ受け部８１が搭載されている。また、他方面に、第２の電気部品からのハーネスと電気的に接続されるとともにコネクタ受け部８１に挿入された複数の端子とそれぞれ電気的に接続された複数の端子を有するコネクタ８２が複数搭載されている。
【００８６】
したがって、演出制御基板と第２の電気部品とは、ハーネス９１、コネクタ受け部８１およびコネクタ８２を介して電気的に接続される。
【００８７】
図９および図１０に示すように、主制御用中継基板７０を構成する第１の中継基板７０ａは前述した入賞球通路カバー体４０の前面側に取り付けられ、コネクタ受け部７１およびコネクタ７３が遊技盤１０の開口部６０ａから前面側に向けて臨んでいる。また、主制御用中継基板７０を構成する第２の中継基板７０ｂは入賞球通路カバー体４０の背面側に取り付けられている。さらに、演出制御用中継基板８０は、その一方面に搭載されたコネクタ受け部８１が開口部６０ｂから前面側に向けて臨むようにして入賞球通路カバー体４０の背面側に取り付けられている。したがって、これらの中継基板７０，８０は入賞球通路カバー体４０を介して遊技盤１０に取り付けられていることになる。なお、中継基板７０，８０を直接遊技盤１０に取り付けてもよい。
【００８８】
以上説明した構成において、遊技盤１０を本体枠２に取り付ける場合は、先ず、主制御用中継基板７０および演出制御用中継基板８０を入賞球通路カバー体４０の前述した位置に取り付けた上で、主制御用中継基板７０を構成する第１の中継基板７０ａに搭載されたコネクタ７３と第２の中継基板７０ｂに搭載されたコネクタ７４とを図示しないハーネスで接続する。
【００８９】
このようにして中継基板７０，８０と入賞球通路カバー体４０とユニット化したならば、次に、入賞球通路カバー体４０を遊技盤１０に取り付けた後に、遊技盤１０の第１の電気部品から延出されたハーネスを主制御用中継基板７０に搭載されたコネクタ７４と電気的に接続し、第２の電気部品から延出されたハーネスを演出制御用中継基板８０に搭載されたコネクタ８２と電気的に接続する。
【００９０】
そして、主制御基板および演出制御基板からのハーネス９０，９１を本体枠２に形成された配線取出孔５０を通して前面側に引き出しておく。
【００９１】
次に、本体枠２の取付係合部２１０，２３０に設けられた可動規制部４００が移動許容位置に位置するようにする。そして、両手で遊技盤１０を持って、遊技盤１０の取付部１１０，１２０，１３０，１４０のピン部１１１、１２１，１３１，１４１を、取付係合部２１０，２２０，２３０，２４０の案内溝３１０に挿入して、所定の支持位置（凹部）３１１に収容させる。このようにして遊技盤１０の各取付部１１０，１２０，１３０，１４０の各ピン部１１１、１２１，１３１，１４１が各取付係合部２１０，２２０，２３０，２４０の各支持位置（凹部）３１１に収容された場合は、遊技盤１０の仮固定が終了したことになる。
【００９２】
そして、取付係合部２１０，２３０の可動規制部４００を移動規制位置へ移動させる。これにより、遊技盤１０は、上方向規制部（つまり取付係合部２１０，２３０の可動規制部４００）、および下方向規制部５１３，５１４によって上下方向の動きが規制され、さらに左右方向規制部５１５，５１６によって左右方向の動きが規制される。
【００９３】
このように遊技盤１０は、上下方向、左右方向および前方向の動きが規制されるので、本体枠２に確実に固定されることとなる。
【００９４】
最後に、本体枠２に形成された配線取出孔５０から前面側に引き出した主制御基板からのハーネス９０を遊技盤１０の開口部６０ａに臨むコネクタ受け部７１へ接続し、同じく本体枠２に形成された配線取出孔５０から前面側に引き出した演出制御基板からのハーネス９１を遊技盤１０の開口部６０ｂに臨むコネクタ受け部８１へ接続する。
【００９５】
これで、遊技盤１０の本体枠２に対する取り付けが完了する。
【００９６】
このように、本実施の形態の遊技機１によれば、遊技盤１０を本体枠２に取り付けて安定化させた状態で、制御基板（本実施の形態では、主制御基板および演出制御基板）からのハーネスを接続することが可能になる。これにより、遊技盤１０を本体枠２へ接続する際のハーネス取り回しの煩わしさがなくなるのみならず、遊技盤１０が落下するおそれもない。したがって、遊技盤１０を安全且つ良好な作業性のもとで本体枠２に装着することが可能になる。
【００９７】
遊技盤１０には開口部６０ａおよび開口部６０ｂが形成されており、主制御用中継基板７０および演出制御用中継基板８０は、コネクタ受け部７１，８１がそれぞれの開口部６０ａ，６０ｂに臨むようにして遊技盤１０の背面に取り付けられている。したがって、中継基板７０，８０を遊技盤１０の前面に取り付けた場合のようにガラス扉３との干渉を防止するために遊技盤１０の取付位置を後退させる必要がなく、また遊技盤１０の見栄えの悪化もなくなる。
【００９８】
さらに、中継基板７０，８０は入賞球通路カバー体４０を介して遊技盤１０に取り付けられているので、中継基板７０，８０が入賞球通路カバー体４０とユニット化されることになる。これにより、中継基板７０，８０を直接遊技盤１０へ取り付ける構成よりも取付作業性が向上するのみならず、遊技盤１０のみの交換を行う場合も、入賞球通路カバー体４０を取り外すのみで簡便に行うことができる。
【００９９】
以上の説明においては、主制御用中継基板７０および演出制御用中継基板８０は遊技盤１０の裏面に取り付けられているが、コネクタ受け部７１，８１を前面側に向けた構成であればよく、中継基板７０，８０を遊技盤１０の前面に設けるようにしてもよい。
【０１００】
また、主制御用中継基板７０には、不正防止の観点から片面実装のものが使用されているが、両面実装のものを使用してもよい。
【０１０１】
（実施の形態２）
【０１０２】
図１２は本発明の他の実施の形態に係る遊技機に取り付けられた遊技盤の要部を前面から見た斜視図、図１３は本発明の他の実施の形態に係る遊技機に取り付けられた遊技盤の要部を背面から見た斜視図、図１４は本発明の他の実施の形態に係る遊技機の遊技盤に取り付けられた主制御用中継基板の接続形態を示す説明図、図１５は本発明の他の実施の形態に係る遊技機に取り付けられた遊技盤の要部を入賞球通路カバー体および主制御用中継基板の第２の中継基板を取り付けた状態で示す背面図である。
【０１０３】
本実施の形態では、主制御基板からのハーネスと遊技盤１０に設けられて主制御回路によって駆動される第１の電気部品からのハーネスとを接続する主制御用中継基板（中継基板）７０の構造が、前述した実施の形態１と異なっている。
【０１０４】
すなわち、図１２、図１３および図１４に示すように、主制御用中継基板７０を構成する第１の中継基板（中継基板）７０ａおよび第２の中継基板（中継基板）７０ｂの内、主制御基板からのハーネス９０の先端に設けられたコネクタ９０ａが接続されるコネクタ受け部７１、およびコネクタ受け部７１に挿入された複数の端子とそれぞれ電気的に接続された複数の端子を有するコネクタ７３が同一面上に実装された第１の中継基板７０ａは、開口部６０ａに臨むようにして取り付けられている。
【０１０５】
これらの図面に詳しく示すように、第１の中継基板７０ａに実装されたコネクタ受け部７１とコネクタ７３とは相互に前後方向となるように配置されている。そして、前側に位置するコネクタ受け部７１は、その接続面が第１の中継基板７０ａの面方向と平行方向に向くように配置されている。また、後側に位置するコネクタ７３は、その接続面が第１の中継基板７０ａの面方向と垂直方向に向くように配置されている。
【０１０６】
ここで、第１の中継基板７０ａは基板保持部７５に保持固定されている。基板保持部７５は、第１の中継基板７０ａがネジ止めにより面接触して固定されるベース７５ａ、およびベース７５ａの両側からそれぞれ突出して設けられてネジ穴（図示せず）が形成された２つの締結部７５ｂからなる。また、遊技盤１０の背面には、当該遊技盤１０の後方に位置する液晶表示装置２０との間隔を所定距離に保つようにした枠体形状のスペーサ５５が配置されており、取付部材としての入賞球通路カバー体４０はスペーサ５５を介して遊技盤１０に取り付けられている。
【０１０７】
そして、第１の中継基板７０ａを保持固定した前述の基板保持部７５は、このような入賞球通路カバー体４０にネジ止めにより取り付けられている。ここで、基板保持部７５に設けられた締結部７５ｂに形成されたネジ穴は、当該基板保持部７５を入賞球通路カバー体４０に取り付けたときに、第１の中継基板７０ａにおけるコネクタ受け部７１の実装面が入賞球通路カバー体４０のカバー面に対して垂直となる方向に開設されている。
【０１０８】
したがって、入賞球通路カバー体４０をスペーサ５５を介して遊技盤１０に取り付けたときには、基板保持部７５に保持固定された第１の中継基板７０ａは、開口部６０ａ内に臨むようにしてコネクタ受け部７１の実装面が遊技盤１０の盤面に対して垂直となるように配置される。これにより、主制御基板から延出されるハーネス９０と接続されるコネクタ受け部７１の接続面は、前面側を向くように配置される。
【０１０９】
第１の中継基板７０ａに搭載されたコネクタ７３と電気的に接続されるコネクタ７４、および第１の電気部品からのハーネスと電気的に接続される複数のコネクタ７６が搭載された第２の中継基板７０ｂは、入賞球通路カバー体４０に取り付けられた基板ベース７７を介して遊技盤１０の背面に取り付けられている。そして、第２の中継基板７０ｂに搭載されたコネクタ７４は、その接続面が第２の中継基板７０ｂの面方向と水平方向に向くように配置されている。
【０１１０】
入賞球通路カバー体４０に取り付けられた基板ベース７７の上辺には、外側に弾性変形可能な係止部７７ａが所定の間隔を開けて２カ所に形成され、下辺には、第２の中継基板７０ｂの板厚分の空間が形成されて上方に屈曲形成された支持部７７ｂが、同じく所定の間隔を開けて２カ所に形成されている。さらに、基板ベース７７の面上には、第２の中継基板７０ｂの位置決め孔（図示せず）に対応した位置決め突起７７ｃが２カ所に形成されている。
【０１１１】
これにより、第２の中継基板７０ｂの一辺を支持部７７ｂに挟み込み、この支持部７７ｂの位置を支点に倒して前記一辺に対向する一辺を係止部７７ａに係止させ、さらに位置決め孔を位置決め突起７７ｃと嵌合させることにより、第２の中継基板７０ｂは基板ベース７７に位置決め固定される。
【０１１２】
基板ベース７７には、その下部の左右２カ所にヒンジアーム７７ｄが下方に延出して形成されている。一方、入賞球通路カバー体４０における基板ベース７７の取り付け位置の下部には、ヒンジピン４０ｅを備えたヒンジ突起４０ｄが形成され、上部には、上方に弾性変形可能な係止部４０ｆが形成されている。これにより、基板ベース７７は、その下部においてヒンジアーム７７ｄがヒンジピン４０ｅにはめ込まれて回動可能に支持されるとともに、上部において係止部４０ｆで係止されて入賞球通路カバー体４０に取り付けられている。
【０１１３】
なお、背面視における基板ベース７７の背面側（つまり遊技盤１０の表面側）には、演出制御基板から延出されたハーネス９１の先端に設けられたコネクタ９１ａが基板取付部接続されるコネクタ受け部８１が搭載された演出制御用中継基板８０が位置している。したがって、入賞球通路カバー体４０に形成された係止部４０ｆによる係止を解除してヒンジアーム７７ｄを支点に基板ベース７７を下方向に回動させると、演出制御用中継基板８０の背面側が視認可能に開放されるようになる。
【０１１４】
なお、本実施の形態では、基板保持部７５が取付部材である入賞球通路カバー体４０に取り付けられ、この入賞球通路カバー体４０が遊技盤１０に取り付けられることにより第１の中継基板７０ａが遊技盤１０に取り付けられているが、取付部材をスペーサ５５とし、基板保持部７５をスペーサ５５に取り付けるようにしてもよい。
【０１１５】
さて、本実施の形態では、遊技盤１０の製造過程においては、演出制御基板によって制御される第２の電気部品をスペーサ５５や入賞球通路カバー体４０に配設する一方で、主制御基板によって制御される第１の電気部品を遊技盤１０に取り付ける構成となっている。
【０１１６】
詳しくは、スペーサ５５および入賞球通路カバー体４０に対して、演出用ＬＥＤが実装された演出用ＬＥＤ基板およびこの演出用ＬＥＤ基板から延出されるハーネスを引き回してて取り付けるとともに、演出制御用中継基板８０および第１の中継基板７０ａを取り付ける第１の組立工程を実行する。したがって、予め引き回された演出用ＬＥＤ基板からのハーネスを演出制御用中継基板８０へ接続でき、当該ハーネスの接続を容易に行えるようになっている。
【０１１７】
次に、遊技盤１０に対して、主制御基板によって駆動されるアクチュエータ等を取り付ける第２の組立工程を実行する。
【０１１８】
第１および第２の組立工程を実行したならば、第２中継基板７０ｂを入賞球通路カバー体４０の背面に取り付け（図１７参照）、主制御基板によって制御される第１の電気部品のハーネスを第２の中継基板７０ｂに搭載されたコネクタ７６へ接続するとともに、第１の中継基板７０ａに搭載されたコネクタ７３と第２中継基板７０ｂに搭載されたコネクタ７４とをハーネスにて接続する第３の組立工程を実行する。これにより、遊技盤１０の組み立てが完成する。
【０１１９】
そして、これを実施の形態１記載の要領で本体枠２に前面側より取り付けて固定し、主制御基板から延出されたハーネス９０の先端に設けられたコネクタ９０ａを第１の中継基板７０ａに搭載されたコネクタ受け部７１に嵌合させるとともに、演出制御基板から延出されたハーネス９１の先端に設けられたコネクタ９１ａを演出制御用中継基板８０に搭載されたコネクタ受け部８１に嵌合させる。これによって、遊技盤１０が本体枠２に電気的に接続された状態で固定される。
【０１２０】
このように、本実施の形態の遊技機１によれば、第１の中継基板７０ａが開口部６０ａ内に臨むようにして遊技盤１０の盤面に対して垂直方向に取り付けられているので、片面のみが実装面となっている片面実装形の中継基板を用いた場合にあっては、遊技盤１０の背面側より延出されたハーネス（つまり、第２の中継基板７０ｂに搭載されたコネクタ７４から延出されたハーネス）をコネクタ受け部７１と共通の実装面に実装されたコネクタ７３に接続する際、ハーネス９０を遊技盤１０の前面側にまで引き回ことなく背面側で行えるので、配線接続の作業性が向上する。
【０１２１】
さらに、第１の中継基板７０ａを保持固定した基板保持部７５を取付部材である入賞球通路カバー体４０を介して遊技盤１０に取り付けているので、簡単に第１の中継基板７０ａを遊技盤１０に配置することができ、製造コストに優れた遊技盤１０が得られる。
【産業上の利用可能性】
【０１２２】
以上の説明においては、本発明をパチンコ遊技機本体が遊技台に取り付けられた遊技機に適用した場合が説明されているが、本発明はこれに限定されるものではなく、パチスロ遊技機（スロットマシン）、雀球、スマートボールあるいはゲームセンターに設置された各種ゲーム機など、種々の遊技機に適用することが可能である。
【図面の簡単な説明】
【０１２３】
【図１】本発明の一実施の形態である遊技機を示す斜視図である。
【図２】図１に示した遊技機の正面図である。
【図３】図１の遊技機に取り付けられた遊技盤を示す正面図である。
【図４】図３の遊技盤の背面図である。
【図５】本発明の一実施の形態に係る遊技機の取付係合部、上下方向規制部および左右方向規制部を説明する図である。
【図６】本発明の一実施の形態に係る遊技機の取付係合部の取付状態を説明する図である。
【図７】本発明の一実施の形態に係る遊技機の取付係合部、上下方向規制部、左右方向規制部および段部を説明する図である。
【図８】図１の遊技機の背面図である。
【図９】本発明の一実施の形態に係る遊技機に取り付けられた遊技盤の要部を前面から見た図である。
【図１０】本発明の一実施の形態に係る遊技機に取り付けられた遊技盤の要部を背面から見た図である。
【図１１】本発明の一実施の形態に係る遊技機の遊技盤に取り付けられた主制御用中継基板および演出制御用中継基板を示す斜視図である。
【図１２】本発明の他の実施の形態に係る遊技機に取り付けられた遊技盤の要部を前面から見た斜視図である。
【図１３】本発明の他の実施の形態に係る遊技機に取り付けられた遊技盤の要部を背面から見た斜視図である。
【図１４】本発明の他の実施の形態に係る遊技機の遊技盤に取り付けられた主制御用中継基板の接続形態を示す説明図である。
【図１５】本発明の他の実施の形態に係る遊技機に取り付けられた遊技盤の要部を入賞球通路カバー体および主制御用中継基板の第２の中継基板を取り付けた状態で示す背面図である。
【符号の説明】
【０１２４】
１  パチンコ機（遊技機）
２  本体枠
３  ガラス扉
４  上皿部
４ａ  上皿
５  下皿部
５ａ  下皿
６  カバー
６ａ，６ｂ  スピーカ
７  ハンドル
８  シャッタレバー
１０  遊技盤
１０ａ  遊技領域
１１ａ  外レール
１１ｂ  内レール
１２  一般入賞口
１３  通過ゲート
１４  始動入賞口
１５  ラウンド動作が
１５  大入賞口
１６  アウト口
１７  始動入賞口
１８  普通電動役物
２０  液晶表示装置
２２  特別図柄始動記憶表示器
２３  普通図柄始動記憶表示器
２４  特別図柄表示器
２５ａ，２５ｂ  普通図柄表示器
２６  ラウンド数表示器
３０ａ，３０ｂ  軸部
４０  入賞球通路カバー体
４０ａ  第１の案内通路
４０ｂ  第２の案内通路
４０ｃ  共通通路
４０ｄ  ヒンジ突起
４０ｅ  ヒンジピン
４０ｆ  係止部
４１ａ，４１ｂ  通過球センサ
５０  配線取出孔
５５  スペーサ
６０ａ，６０ｂ  開口部
７０  主制御用中継基板
７０ａ  第１の中継基板
７０ｂ  第２の中継基板
７１  コネクタ受け部
７３，７４  コネクタ
７５  基板保持部
７５ａ  ベース
７５ｂ  締結部
７６  コネクタ
７７  基板ベース
７７ａ  係止部
７７ｂ  支持部
７７ｃ  突起
７７ｄ  ヒンジアーム
８０  演出制御用中継基板
８１  コネクタ受け部
８２  コネクタ
９０  ハーネス
９０ａ  コネクタ
９１  ハーネス
９１ａ  コネクタ
１００  主制御基板ケース
１１０，１２０，１３０，１４０  取付部
１１１，１２１，１３１，１４１  ピン部
１５０  電源基板ケース
２１０，２２０，２３０，２４０  取付係合部
３００  ベース部
３１０  案内溝
３２０  前方向規制部
４００  可動規制部
４５０  貯留タンク
５００  基板ケースカバー
５０１ａ，５０１ｂ  軸受け部
５０２  固定部
５１３，５１４  下方向規制部
５１５，５１６  左右方向規制部
６００  整流樋
７００  払出装置
【図１】
2007260383.tif 000003
【図２】
2007260383.tif 000004
【図３】
2007260383.tif 000005
【図４】
2007260383.tif 000006
【図５】
2007260383.tif 000007
【図６】
2007260383.tif 000008
【図７】
2007260383.tif 000009
【図８】
2007260383.tif 000010
【図９】
2007260383.tif 000011
【図１０】
2007260383.tif 000012
【図１１】
2007260383.tif 000013
【図１２】
2007260383.tif 000014
【図１３】
2007260383.tif 000015
【図１４】
2007260383.tif 000016
【図１５】
2007260383.tif 000017